(57)【要約】      （修正有）【課題】出力の不安定、センサの破損、保持体の姿勢の不安定化が無く、高精度でタイバーの型締力を測定するセンサを提供する。【解決手段】型締力測定センサ１は、歪センサ５を保持した四角棒状、かつ、半楕円環状の一対のセンサ保持体２、３をヒンジ４により結合して全体としてタイバー５０を囲む楕円環状の構成とし、ヒンジ４側に、端ブロック体１２と、締め付けネジ１０により締め付け固定される落下防止用の突片１５と、端ブロック体１２の両側面に固着されセンサ保持体２、３の両側面に密接配置される両側面板１７とを具備する第１位置決め具１１を設け、解放側に、端ブロック体２２と、両センサ保持体２、３の端面間に臨ませて締め付けネジ１０により締め付け固定される周方向位置ずれ防止片２４と、端ブロック体２２の側面に固着されセンサ保持体２、３の両側面に密接する両側面板２６と、を具備する第２位置決め具２１を設けたものである。【選択図】図１
2008298515.tif 000002
【特許請求の範囲】
【請求項１】
内周面に臨む測定素子を保持した一方の四角棒状、かつ、半楕円環状のセンサ保持体と、内周面に臨む測定素子を保持した他方の四角棒状、かつ、半楕円環状のセンサ保持体とをこれらの一端側同士でヒンジ結合により開閉可能に連結して、全体として楕円環状を呈する構成とするとともに、前記両センサ保持体をタイバーの外周に装着し、ヒンジ側及び他端側である解放側の各対向端部において締め付けネジをねじ込みタイバー外周に締め付け固定して、タイバーに作用する型締力を前記測定素子により測定する型締力測定センサであって、
前記ヒンジ側に、前記ヒンジの外方に位置するセンサ保持体と同等の厚さの端ブロック体と、この端ブロック体から突設されるとともに締め付けネジにより締め付け固定される落下防止用の突片と、端ブロック体の両側面に固着され前記センサ保持体の両側面に密接配置される両側面板と、を具備する第１位置決め具を設け、
前記解放側に、前記両センサ保持体の端部外方に位置するセンサ保持体と同等の厚さの端ブロック体と、両センサ保持体の端面間に臨ませて締め付けネジにより締め付け固定される周方向位置ずれ防止片と、端ブロック体の側面に固着され前記センサ保持体の両側面に密接する両側面板と、を具備する第２位置決め具を設けたこと、
を特徴とする型締力測定センサ。
【請求項２】
両端面近傍に各端面まで貫通させた貫通ネジ孔に連なるネジ挿入凹部を設けるとともに内周面に臨む歪みセンサを保持した一方の四角棒状、かつ、半楕円環状のセンサ保持体と、両端面に各々前記一方の半円環状のセンサ保持体に設けた貫通ネジ孔に対向する受ネジ孔を設けるとともに内周面に臨む歪みセンサを保持した他方の四角棒状、かつ、半楕円環状のセンサ保持体とをこれらの一端側同士でヒンジ結合により開閉可能に連結して、全体として楕円環状を呈する構成とするとともに、前記両センサ保持体をタイバーの外周に装着し、ヒンジ側及び他端側である解放側の各対向端部において前記貫通ネジ孔側から受ネジ孔側に締め付けネジをねじ込みタイバー外周に締め付け固定して、タイバーに作用する型締力を前記歪みセンサにより測定する型締力測定センサであって、
前記ヒンジ側に、前記ヒンジの外方に位置するセンサ保持体と同等の厚さの端ブロック体と、この端ブロック体から突設されるとともにネジ挿通孔を備えネジ挿入凹部の貫通ネジ孔側端面に当接して前記ネジ挿通孔を貫通する締め付けネジにより締め付け固定される落下防止用の突片と、端ブロック体の両側面に固着され前記センサ保持体の両側面に密接配置される両側面板と、を具備する第１位置決め具を設け、
前記解放側に、前記両センサ保持体の端部外方に位置するセンサ保持体と同等の厚さの端ブロック体と、この端ブロック体により支持されるとともに両センサ保持体の端面間に臨ませて締め付けネジにより締め付け固定される周方向位置ずれ防止片と、端ブロック体の側面に固着され前記センサ保持体の両側面に密接する両側面板と、を具備する第２位置決め具を設けたこと、
を特徴とする型締力測定センサ。
【請求項３】
両端面近傍に各端面まで貫通させた貫通ネジ孔に連なるネジ挿入凹部を設けるとともに中央部に内周面に臨むストレンゲージからなる歪みセンサを保持した一方の四角棒状、かつ、半楕円環状又は半円環状のセンサ保持体と、両端面に各々前記一方の半円環状のセンサ保持体に設けた貫通ネジ孔に対向する受ネジ孔を設けるとともに前記中央部に内周面に臨むストレンゲージからなる歪みセンサを保持した他方の四角棒状、かつ、半楕円環状又は半円環状のセンサ保持体とをこれらの一端側同士でヒンジ結合により開閉可能に連結して、全体として楕円環状又は円環状を呈する構成とするとともに、前記両センサ保持体をタイバーの外周に装着し、前記ヒンジ側及び他端側である解放側の各対向端部において前記貫通ネジ孔側から受ネジ孔側に締め付けネジをねじ込みタイバー外周に締め付け固定して、タイバーに作用する型締力を前記歪みセンサにより測定する型締力測定センサであって、
前記ヒンジ側に、前記ヒンジの外方に位置するセンサ保持体と同等の厚さの端ブロック体と、この端ブロック体にネジ結合されて突設するとともにネジ挿通孔を備えネジ挿入凹部の貫通ネジ孔側端面に当接して前記ネジ挿通孔を貫通する締め付けネジにより締め付け固定される落下防止用の突片と、端ブロック体の両側面にネジ結合で固着され前記センサ保持体の両側面に密接配置される両側面板と、を具備する第１位置決め具を設け、
前記解放側に、前記両センサ保持体の端部外方に位置するセンサ保持体と同等の厚さの端ブロック体と、この端ブロック体にネジ結合されて支持されるとともに両センサ保持体の端面間に臨ませて締め付けネジにより締め付け固定される周方向位置ずれ防止片と、端ブロック体の側面にネジ結合で固着されセンサ保持体の両側面に密接する両側面板と、を具備する第２位置決め具を設けたこと、
を特徴とする型締力測定センサ。
【請求項４】
内周面に臨む測定素子を保持した一方の四角棒状、かつ、半楕円環状のセンサ保持体と、内周面に臨む測定素子を保持した他方の四角棒状、かつ、半楕円環状のセンサ保持体とをこれらの一端側同士でヒンジ結合により開閉可能に連結して、全体として楕円環状を呈する構成とするとともに、前記両センサ保持体をタイバーの外周に装着し、ヒンジ側及び他端側である解放側の各対向端部において締め付けネジをねじ込みタイバー外周に締め付け固定して、タイバーに作用する型締力を前記測定素子により測定する型締力測定センサであって、
前記ヒンジ側及び解放側各々の各対向端部に、前記締め付けネジの両側を占める配置で各対向端部を連結する一対構成の位置決めキーを装着したことを特徴とする型締力測定センサ。
【請求項５】
両端面近傍に各端面まで貫通させた貫通ネジ孔に連なるネジ挿入凹部を設けるとともに内周面に臨む歪みセンサを保持した一方の四角棒状、かつ、半楕円環状のセンサ保持体と、両端面に各々前記一方の半円環状のセンサ保持体に設けた貫通ネジ孔に対向する受ネジ孔を設けるとともに内周面に臨む歪みセンサを保持した他方の四角棒状、かつ、半楕円環状のセンサ保持体とをこれらの一端側同士でヒンジ結合により開閉可能に連結して、全体として楕円環状を呈する構成とするとともに、前記両センサ保持体をタイバーの外周に装着し、ヒンジ側及び他端側である解放側の各対向端部において前記貫通ネジ孔側から受ネジ孔側に締め付けネジをねじ込みタイバー外周に締め付け固定して、タイバーに作用する型締力を前記歪みセンサにより測定する型締力測定センサであって、
前記ヒンジ側及び解放側各々の各対向端部に、前記締め付けネジの両側を占める配置で一方のセンサ保持体側の対向端部に固着され、他方の対向端部側に嵌め付けられる一対構成の位置決めキーを配置したことを特徴とする型締力測定センサ。
【請求項６】
両端面近傍に各端面まで貫通させた貫通ネジ孔に連なるネジ挿入凹部を設けるとともに中央部に内周面に臨むストレンゲージからなる歪みセンサを保持した一方の四角棒状、かつ、半楕円環状又は半円環状のセンサ保持体と、両端面に各々前記一方の半円環状のセンサ保持体に設けた貫通ネジ孔に対向する受ネジ孔を設けるとともに前記中央部に内周面に臨むストレンゲージからなる歪みセンサを保持した他方の四角棒状、かつ、半楕円環状又は半円環状のセンサ保持体とをこれらの一端側同士でヒンジ結合により開閉可能に連結して、全体として楕円環状又は円環状を呈する構成とするとともに、前記両センサ保持体をタイバーの外周に装着し、前記ヒンジ側及び他端側である解放側の各対向端部において前記貫通ネジ孔側から受ネジ孔側に締め付けネジをねじ込みタイバー外周に締め付け固定して、タイバーに作用する型締力を前記歪みセンサにより測定する型締力測定センサであって、
前記ヒンジ側の各対向端部に、前記締め付けネジの両側を占める配置で一方のセンサ保持体側の対向端部に固着され、他方の対向端部側に嵌め付けられる一対構成の位置決めキーを配置し、前記解放側の各対向端部に、前記締め付けネジの両側を占める配置で一方のセンサ保持体側の対向端部に固着され、他方の対向端部側に嵌め付けられるとともに他方の対向端部側の外周側に周方向の位置ずれ防止用の突出部を有する一対構成の位置決めキーを配置したことを特徴とする型締力測定センサ。
【発明の詳細な説明】
【技術分野】
【０００１】
本発明は、型締力測定センサに関し、詳しくは、射出成型機等の型締装置の型締力を測定する型締力検出センサに関するものである。
【背景技術】
【０００２】
例えば、射出成型機等の金型は一般的に複数に分割されており、成型時には相互に型締めして使用される。また、型締装置は、金型用の金型支持機構部にタイバーが連結されて、このタイバーには型締力が作用しそれに応じたひずみが発生する。
従来においても、タイバーに密着してタイバーの歪みを測定する歪みセンサを含む型締力検出センサが種々提案されている。
【０００３】
図１４乃至図１６を参照して従来の型締力検出センサ１００について説明する。
同図に示す型締力検出センサ１００は、半円環状の第１センサ保持体１０１と、同じく半円環状の第２センサ保持体１０２とヒンジ１０３により連結するとともに、これらをタイバー１１０の外周を囲むようにして突き合わせた状態で１８０度対向配置となるボルト１０４によりヒンジ側及び解放側を各々締め付け、前記第１センサ保持体１０１、第２センサ保持体１０２に設けた歪センサ１０５により前記タイバー１１０に生じる歪を測定するものである。
【０００４】
この従来の型締力検出センサ１００の場合、図１４、図１５に示すように、解放側（Ａ側）のボルト１０４を先にある程度締め付け、次にヒンジ側（Ｂ側）のボルトを締め付けるが、均等に締め付けることは難しく、Ａ側のボルト１０４を締めると歪センサ１０５はａ側に、Ｂ側のボルト１０４を締めると歪センサ１０５はｂ側に変位するシーソー現象を起こし、歪センサ１０５の位置が円周方向にずれてしまう。同時に、図１６に示すように、歪センサ１０５に捩れが生じたり、更には、第１センサ保持体１０１、第２センサ保持体１０２がくの字状に配列されたりしてしまう。
【０００５】
この結果、前記歪センサ１０５からの出力不安定、歪センサ１０５自体や歪センサ１０５を保護するフィルム（図示せず）が破損、第１センサ保持体１０１、第２センサ保持体１０２の取り付け姿勢の不安定化というような種々の不都合が発生し、高精度でタイバー１１０の型締力を測定することが困難になってしまう。
【０００６】
特許文献１には、測定要素を備えるリング状に構成され、締め付けネジ等の締め付け要素により円柱形部材の外周に締め付け装着して前記円柱形部材の伸びを測定するようにした測定センサが提案されている。
【０００７】
しかし、この測定センサの場合も、締め付けネジ等の締め付け要素を使用するものであり、上述した場合と同様な問題を包含している。
【特許文献１】特許第３４９３０１７号公報
【発明の開示】
【発明が解決しようとする課題】
【０００８】
本発明が解決しようとする問題点は、歪センサからの出力不安定、歪センサなどの破損、センサ保持体の取り付け姿勢の不安定化というような種々の不都合が無く、高精度でタイバーの型締力を測定し得る環状構成の型締力測定センサが従来存在しない点である。
【課題を解決するための手段】
【０００９】
本発明に係る型締力測定センサは、内周面に臨む測定素子を保持した一方の四角棒状で、かつ、半楕円環状のセンサ保持体と、内周面に臨む測定素子を保持した他方の四角棒状で、かつ、半楕円環状のセンサ保持体とをこれらの一端側同士でヒンジ結合により開閉可能に連結して、全体として楕円環状を呈する構成とするとともに、前記両センサ保持体をタイバーの外周に装着し、ヒンジ側及び他端側である解放側の各対向端部において締め付けネジをねじ込みタイバー外周に締め付け固定して、タイバーに作用する型締力を前記測定素子により測定する型締力測定センサであって、前記ヒンジ側に、前記ヒンジの外方に位置するセンサ保持体と同等の厚さの端ブロック体と、この端ブロック体から突設されるとともに締め付けネジにより締め付け固定される落下防止用の突片と、端ブロック体の両側面に固着され前記センサ保持体の両側面に密接配置される両側面板と、を具備する第１位置決め具を設け、前記解放側に、前記両センサ保持体の端部外方に位置するセンサ保持体と同等の厚さの端ブロック体と、両センサ保持体の端面間に臨ませて締め付けネジにより締め付け固定される周方向位置ずれ防止片と、端ブロック体の側面に固着され前記センサ保持体の両側面に密接する両側面板と、を具備する第２位置決め具を設けたこと、を最も主要な特徴とする。
【発明の効果】
【００１０】
請求項１記載の発明によれば、両センサ保持体のヒンジ側及び解放側に配置する第１位置決め具及び第２位置決め具によって、両センサ保持体の厚さ方向の位置ずれ及び周方向の位置ずれが防止され、これにより、測定素子の出力の安定化、測定素子や保護フィルムの損傷防止を図ることができ、測定素子により高精度でタイバーの型締力を測定することができる型締力測定センサを提供することができる。
【００１１】
請求項２記載の発明によれば、両センサ保持体のヒンジ側に配置する落下防止用の突片、側面板を有する第１位置決め具及び解放側に配置する周方向位置ずれ防止片、側面板を有する第２位置決め具によって、両センサ保持体の厚さ方向の位置ずれ及び周方向の位置ずれが防止され、これにより、測定素子の出力の安定化、測定素子や保護フィルムの損傷防止を図ることができ、歪センサにより高精度でタイバーの型締力を測定することができる型締力測定センサを提供することができ、更に、第１位置決め具の落下防止も図ることができる。
【００１２】
請求項３記載の発明によれば、請求項２記載の発明と同様な効果を奏するとともに、第１位置決め具において落下防止用の突片、側面板をネジ結合で端ブロックに取り付け、第２位置決め具において周方向位置ずれ防止片、側面板をネジ結合で端ブロックに取り付けた構成としているので、組み立て、分解容易な第１、第２位置決め具を備えた型締力測定センサを提供することができる。
【００１３】
請求項４記載の発明によれば、両センサ保持体のヒンジ側及び解放側に配置する位置決めキーによって、両センサ保持体の厚さ方向の位置ずれ及び周方向の位置ずれが防止されて、これにより、測定素子の出力の安定化、測定素子や保護フィルムの損傷防止を図ることができ、高精度でタイバーの型締力を測定することができる型締力測定センサを提供することができる。
【００１４】
請求項５記載の発明によれば、ヒンジ側及び解放側各々の各対向端部に、締め付けネジの両側を占める配置で一方のセンサ保持体側の対向端部に固着され、他方の対向端部側に嵌め付けられる一対構成の位置決めキーを配置した構成で、請求項４記載の発明と同様な効果を奏する型締力測定センサを提供することができる。
【００１５】
請求項６記載の発明によれば、ヒンジ側の各対向端部に、締め付けネジの両側を占める配置で一方のセンサ保持体側の対向端部に固着され、他方の対向端部側に嵌め付けられる一対構成の位置決めキーを配置し、解放側の各対向端部に、締め付けネジの両側を占める配置で一方のセンサ保持体側の対向端部に固着され、他方の対向端部側に嵌め付けられるとともに他方の対向端部側の外周側に周方向の位置ずれ防止用の突出部を有する一対構成の位置決めキーを配置した構成で、請求項５記載の発明と同様な効果を奏する型締力測定センサを提供することができる。
【発明を実施するための最良の形態】
【００１６】
本発明は、歪センサからの出力不安定、歪センサ等の破損、センサ保持体の取り付け姿勢の不安定化というような種々の不都合が無く、高精度でタイバーの型締力を測定し得る型締力測定センサを提供するという目的を有するものである。
本発明は、上記目的を、両端面近傍に各端面まで貫通させた貫通ネジ孔に連なるネジ挿入凹部を設けるとともに内周面に臨む歪みセンサを保持した一方の四角棒状、かつ、半楕円環状のセンサ保持体と、両端面に各々前記一方の半円環状のセンサ保持体に設けた貫通ネジ孔に対向する受ネジ孔を設けるとともに内周面に臨む歪みセンサを保持した他方の四角棒状、かつ、半楕円環状のセンサ保持体とをこれらの一端側同士でヒンジ結合により開閉可能に連結して、全体として楕円環状を呈する構成とするとともに、前記両センサ保持体をタイバーの外周に装着し、ヒンジ側及び他端側である解放側の各対向端部において前記貫通ネジ孔側から受ネジ孔側に締め付けネジをねじ込みタイバー外周に締め付け固定して、タイバーに作用する型締力を前記歪みセンサにより測定する型締力測定センサであって、前記ヒンジ側に、前記ヒンジの外方に位置するセンサ保持体と同等の厚さの端ブロック体と、この端ブロック体から突設されるとともにネジ挿通孔を備えネジ挿入凹部の貫通ネジ孔側端面に当接して前記ネジ挿通孔を貫通する締め付けネジにより締め付け固定される落下防止用の突片と、端ブロック体の両側面に固着され前記センサ保持体の両側面に密接配置される両側面板と、を具備する第１位置決め具を設け、前記解放側に、前記両センサ保持体の端部外方に位置するセンサ保持体と同等の厚さの端ブロック体と、この端ブロック体により支持されるとともに両センサ保持体の端面間に臨ませて締め付けネジにより締め付け固定される周方向位置ずれ防止片と、端ブロック体の側面に固着され前記センサ保持体の両側面に密接する両側面板と、を具備する第２位置決め具を設けた構成により実現し達成した。
【実施例】
【００１７】
以下に、本発明の実施例に係る型締力測定センサについて図面を参照して詳細に説明する。
【００１８】
（実施例１）
図１乃至図７を参照して、本発明の実施例１に係る型締力測定センサ１について説明する。
本実施例１に係る型締力測定センサ１は、図１、更には図２乃至図４、図５乃至図７に示すように、四角棒状、かつ、半楕円環状で、中央部に例えばストレンゲージからなる歪みセンサ５を内蔵保持した厚さＷの一方のセンサ保持体２と、四角棒状、かつ、半楕円環状で、中央部に例えばストレンゲージからなる歪みセンサ５を内蔵保持した厚さＷの他方のセンサ保持体３とを、これらの一端側同士でヒンジ４を用いて開閉可能に連結して全体として楕円環状を呈する構成とし、両センサ保持体２、３を、金型用の金型支持機構部（図示せず）に連結したタイバー５０の外周に装着してタイバー５０に作用する型締力を前記歪みセンサ５により測定するように構成している。
なお、図１中、５ａはセンサ保持体２の内周に貼り付けた歪みセンサ５用の保護フィルム、５ｂは信号ケーブルである。
【００１９】
更に、詳述すると、前記一方のセンサ保持体２は、両端面近傍に各端面まで貫通させた貫通ネジ孔６に連なるネジ挿入凹部７を設けるとともに、中央部に内周面に臨む前記歪みセンサ５を保持している。前記他方のセンサ保持体３は、両端面に各々前記一方のセンサ保持体２に設けた貫通ネジ孔６に対向する受ネジ孔８を設けるとともに中央部に内周面に臨む前記歪みセンサ５を保持している。
【００２０】
そして、前記両センサ保持体２、３をタイバー５０の外周に装着し、ヒンジ側及び他端側である解放側の各対向端部において前記貫通ネジ孔６側から受ネジ孔８側に締め付けネジ１０をねじ込み、タイバー５０外周に締め付け固定し、歪みセンサ５をタイバー５０外周に密接させてこのタイバー５０に作用する型締力を前記歪みセンサ５により測定するようになっている。
【００２１】
前記ヒンジ４は、例えば略四角形で薄板状の弾性ゴム体９を４個の止めネジ４ａを用いて前記両センサ保持体２、３の一端側同士を周方向（センサ保持体２、３の他端側が離隔し又は接近する方向）に開閉可能に連結している。
【００２２】
前記ネジ挿入凹部７は、貫通ネジ孔６と同方向に、かつ、前記締め付けネジ１０が挿通可能に形成した凹陥部７ａと、貫通ネジ孔６に連なり、かつ、貫通ネジ孔６の螺設方向と直交する貫通ネジ孔側端面７ｂとを具備している。
【００２３】
本実施例１に係る型締力測定センサ１は、更に、図２乃至図４に示すように、前記ヒンジ側に第１位置決め具１１を、前記解放側に第２位置決め具２１を設けている。
前記第１位置決め具１１は、図２乃至図４に示すように、前記ヒンジ側における取り付け状態において、前記ヒンジ４の外方に位置するセンサ保持体と同等の厚さＷで略直方体状の端ブロック体１２と、この端ブロック体１２の一方の端面１２ａにネジ１３を用いて結合されるとともに、前記貫通ネジ孔６側に突設した締め付けネジ１０のネジ部が貫通可能なネジ挿通孔１４を有する落下防止用の突出端側を半円状とした長方形状の突片１５と、
前記端ブロック体１２の厚さ方向両側面に例えば各々３個の側面ネジ１６を用いて固着され、前記センサ保持体２、３のヒンジ側の両側面に各々密接配置される一対の側面板１７と、を具備している。
【００２４】
前記第２位置決め具２１は、図５乃至図７に示すように、前記解放側における取り付け状態において、前記両センサ保持体２、３の端部外方に位置する前記センサ保持体２、３と同等の厚さＷで略直方体状の端ブロック体２２と、この端ブロック体２２の中央部に底片２４ａがネジ２３を用いて結合されるとともに、両センサ保持体２、３の端面間に突片２４ｂを臨ませて前記締め付けネジ１０により締め付け固定されるＬ形状の周方向位置ずれ防止片２４と、前記センサ保持体２、３の解放側において、前記端ブロック体２２の厚さ方向両側面に例えば各々３個の側面ネジ２５を用いて固着されて、前記センサ保持体２、３の解放側の両側面に各々密接配置される一対の側面板２６と、を具備している
【００２５】
次に、本実施例１に係る型締力測定センサ１のタイバー５０に対する型締力測定動作を前記第１位置決め具１１、第２位置決め具２１との関連を主にして説明する。
【００２６】
本実施例１に係る型締力測定センサ１において、両センサ保持体２、３をタイバー５０の外周に取り付ける際に、最初に前記第１位置決め具１１、第２位置決め具２１を取り付けない状態でヒンジ４を支軸としてこれらを周方向に開き、タイバー５０の外周に装着して両センサ保持体２、３を略楕円環状配置とする。
【００２７】
次に、ヒンジ側に一方のセンサ保持体２を取り付ける。このとき、前記センサ保持体２のネジ挿入凹部７における貫通ネジ孔側端面７ｂに、第１位置決め具１１の突片１５をネジ挿通孔１４が前記貫通ネジ孔６に一致する状態で配置し、かつ、前記両側面板１７が前記センサ保持体２、３のヒンジ側の両側面に各々密接配置状態とする。
【００２８】
この状態で、ネジ挿入凹部７に締め付けネジ１０を配置し、例えば六角レンチ等の締め付け具を用い、前記ネジ挿通孔１４を連ぬきつつ貫通ネジ孔６、受ネジ孔８に締め付けネジ１０をねじ込み、前記貫通ネジ孔側端面７ｂに突片１５を密着固定する。
【００２９】
このとき、前記両側面板１７により前記センサ保持体２、３のヒンジ側の両側面において締め付けネジ１０のねじ込みに伴う厚さ方向の位置ずれが確実に防止される。
【００３０】
また、前記第１位置決め具１１の突片１５がネジ挿通孔１４を連ぬく締め付けネジ１０により前記ネジ挿入凹部７における貫通ネジ孔側端面７ｂに密着固定されるので、第１位置決め具１１がヒンジ側において確実にセンサ保持体２に取り付けられることになり、これにより、前記第１位置決め具１１がヒンジ側から落下するようなことは無くなり、前記両側面板１７による厚さ方向の位置ずれ防止作用を確実に発揮させることができる。
【００３１】
他方、両センサ保持体２、３の解放側には前記第２位置決め具２１を取り付ける。すなわち、第２位置決め具２１における周方向位置ずれ防止片２４の突片２４ｂを両センサ保持体２、３の端面間に臨ませるとともに、一対の側面板２６を前記センサ保持体２、３の解放側の両側面に各々密接配置状態とする。
【００３２】
この状態で、ネジ挿入凹部７に締め付けネジ１０を配置し、例えば六角レンチ等の締め付け具を用い前記貫通ネジ孔６、受ネジ孔８に締め付けネジ１０をねじ込み、前記突片２４ｂを両センサ保持体２、３の端面間に締め付け状態で固定する。
【００３３】
このとき、前記両側面板２６により前記センサ保持体２、３の解放側の両側面において締め付けネジ１０のねじ込みに伴う厚さ方向の位置ずれが確実に防止される。
【００３４】
また、両センサ保持体２、３の端面間に締め付け状態で固定した前記周方向位置ずれ防止片２４の突片２４ｂによって、両センサ保持体２、３の端面間が突片２４ｂの厚さで定まる一定間隔に、かつ、平行になるので、両センサ保持体２、３の端面における周方向の配置、従って、両センサ保持体２、３が各々保持する歪センサ５の周方向の位置も一定とすることができる。
【００３５】
以上から前記第１位置決め具１１及び第２位置決め具２１によって、両センサ保持体２、３の厚さ方向の位置ずれ（くの字状等）及び周方向の位置ずれが防止され、これに伴い両センサ保持体２、３が各々保持する歪センサ５の厚さ方向及び周方向の位置ずれ、捩れが確実に防止されて、歪センサ５の出力の安定化、歪センサ５や保護フィルム５ａの損傷防止を図ることができる。
この結果、高精度で前記タイバー５０の型締力を測定することができる型締力測定センサ１を実現することができる。
【００３６】
すなわち、本実施例によれば、前記第１位置決め具１１及び第２位置決め具２１によって、両センサ保持体２、３のタイバー５０に対する取り付け時に締め付けネジ１０の締め付けにより発生する不可避のネジ回転方向の動きを抑え又は防止するができ、両センサ保持体２、３の取り付け姿勢を安定化し歪センサ５の出力の信頼性向上、保護フィルム５ａの破損防止を図り、更に、型締力測定センサ１の取り付け時の作業能率向上をも図ることができる。
【００３７】
（実施例２）
図８乃至図１３を参照して本発明の実施例２に係る型締力測定センサ１Ａについて説明する。なお、実施例１の型締力測定センサ１の場合と同一の要素には同一の符号を付して示す。
【００３８】
本実施例２に係る型締力測定センサ１Ａは、前記実施例１の場合と同様なセンサ保持体２、３を有するとともに、図８乃至図１０及び図１１乃至図１３に示すように、前記両センサ保持体２、３におけるヒンジ側及び解放側各々の各対向端部に、一対構成の略四角板状の位置決めキー３１、４１を配置したことが特徴である。
【００３９】
すなわち、前記両センサ保持体２、３におけるヒンジ４側には、図８乃至図１０に示すように、前記締め付けネジ１０の両側を占める配置で一対構成の位置決めキー３１（斜線を付して示す）を配置し、また、前記両センサ保持体２、３における解放側には、図１１乃至図１３に示すように、前記締め付けネジ１０の両側を占める配置で一対構成の位置決めキー４１（斜線を付して示す）を配置している。
【００４０】
前記位置決めキー３１は、図８、図９に示すように、センサ保持体２のヒンジ４側の対向端部に前記貫通ネジ孔６の両側を占める位置に、かつ、周方向に沿って設けた一対のキー溝に各々一端側が嵌め込まれて平行配置で固着されている。
【００４１】
また、前記型締力測定センサ１Ａを前記タイバー５０に取り付ける際に、対向端部から外方に突出する位置決めキー３１の他方の端部を、センサ保持体３のヒンジ４側の対向端部に設けた前記キー溝に対応する配置の一対のキー受溝３ａに着脱可能に嵌め付けるように構成している。
【００４２】
一方、前記位置決めキー４１は、図１１、図１２に示すように、センサ保持体２、３の解放側の対向端部に前記貫通ネジ孔６の両側を占める位置に、かつ、周方向に沿って設けた一対のキー溝に各々一端側が嵌め込まれて平行配置で固着されている。
また、前記型締力測定センサ１Ａを前記タイバー５０に取り付ける際に、対向端部から外方に突出する位置決めキー４１の他方の端部を、センサ保持体３の解放側の対向端部に設けた前記キー溝に対応する配置の一対のキー受溝３ｂに着脱可能に嵌め付けるように構成している。
【００４３】
前記位置決めキー４１は、図１１に示すように、外周側に周方向の位置ずれ防止用の突出部４１ａを有し、これに対応して前記キー受溝３ｂの外周側にも受段部３ｃを設けている。
【００４４】
上述した構成からなる本実施例２に係る型締力測定センサ１Ａによれば、前記両センサ保持体２、３におけるヒンジ４側のヒンジ４側及び解放側各々の各対向端部に、一対構成の略四角板状の位置決めキー３１、４１を周方向に沿って配置したものであるから、前記締め付けネジ１０のねじ込み時における両センサ保持体２、３の厚さ方向の位置ずれを確実に防止することができる。
【００４５】
また、前記センサ保持体２、３の解放側の対向端部において、センサ保持体３内に嵌め込まれる位置決めキー４１の他端には、その外周側に周方向の位置ずれ防止用の突出部４１ａを設けているので、前記突出部４１ａが前記センサ保持体２、３の端面の周方向の配置が一定となり、従って、両センサ保持体２、３が各々保持する歪センサ５の周方向の位置も一定とすることができる。
【００４６】
以上から前記位置決めキー３１、４１によって、実施例１の場合と同様、両センサ保持体２、３の厚さ方向の位置ずれ（くの字状等）及び周方向の位置ずれが防止されて、これに伴い両センサ保持体２、３が各々保持する歪センサ５の厚さ方向及び周方向の位置ずれ、捩れが確実に防止されて、歪センサ５の出力の安定化、歪センサ５や保護フィルム５ａの損傷防止を図ることができる。この結果、高精度で前記タイバー５０の型締力を測定することができる型締力測定センサ１を実現することができる。
【００４７】
すなわち、本実施例によれば、前記位置決めキー３１、４１によって、両センサ保持体２、３のタイバー５０に対する取り付け時に締め付けネジ１０の締め付けにより発生する不可避のネジ回転方向の動きを抑え又は防止するができ、両センサ保持体２、３の取り付け姿勢を安定化し歪センサ５の出力の信頼性が向上し、保護フィルム５ａの破損防止を図り、更に、型締力測定センサ１の取り付け時の作業能率向上をも図ることができる。
【００４８】
なお、上述した実施例１、２では、両センサ保持体２、３を半楕円環状の構成としたが、これら両センサ保持体２、３を各々半円環状とし、全体として円環状とした型締力測定センサとしても、前記型締力測定センサ１、１Ａと同様な構成の基に既述したような作用効果を発揮させることができる。
【産業上の利用可能性】
【００４９】
本発明は、上述した型締装置のタイバーの型締力測定用に適用する場合の他、円柱状部材又は円筒状部材に作用する歪力を測定することが必要な機器等用として広範に適用可能である。
【図面の簡単な説明】
【００５０】
【図１】本発明の実施例１に係る型締力測定センサの概略斜視図である。
【図２】本発明の実施例１に係る型締力測定センサのヒンジ側の第１位置決め具を示す拡大平面図である。
【図３】本発明の実施例１に係る型締力測定センサのヒンジ側の第１位置決め具を示す拡大側面図である。
【図４】本発明の実施例１に係る型締力測定センサのヒンジ側の第１位置決め具を示す拡大平面図である。
【図５】本発明の実施例１に係る型締力測定センサの解放側の第２位置決め具を示す拡大平面図である。
【図６】本発明の実施例１に係る型締力測定センサの解放側の第２位置決め具を示す拡大側面図である。
【図７】本発明の実施例１に係る型締力測定センサの解放側の第２位置決め具を示す拡大平面図である。
【図８】本発明の実施例２に係る型締力測定センサのヒンジ側の位置決めキーを示す拡大平面図である。
【図９】本発明の実施例２に係る型締力測定センサのヒンジ側の位置決めキーを示す拡大側面図である。
【図１０】本発明の実施例２に係る型締力測定センサのヒンジ側の位置決めキーを示す拡大平面図である。
【図１１】本発明の実施例２に係る型締力測定センサの解放側の位置決めキーを示す拡大平面図である。
【図１２】本発明の実施例２に係る型締力測定センサの解放側の位置決めキーを示す拡大側面図である。
【図１３】本発明の実施例２に係る型締力測定センサの解放側の位置決めキーを示す拡大平面図である。
【図１４】従来の型締力検出センサのボルトによる締め付け状態を示す概略平面図である。
【図１５】従来の型締力検出センサの概略側面図である。
【図１６】従来の型締力検出センサの概略平面図である。
【符号の説明】
【００５１】
１    型締力測定センサ
１Ａ  型締力測定センサ
２    センサ保持体
３    センサ保持体
３ａ  キー受溝
３ｂ  キー受溝
３ｃ  受段部
４    ヒンジ
４ａ  止めネジ
５    歪センサ
５ａ  保護フィルム
５ｂ  信号ケーブル
６    貫通ネジ孔
７    ネジ挿入凹部
７ａ  凹陥部
７ｂ  貫通ネジ孔側端面
８    受ネジ孔
９    弾性ゴム体
１０    締め付けネジ
１１    第１位置決め具
１２    端ブロック体
１２ａ  端面
１３    ネジ
１４    ネジ挿通孔
１５    突片
１６    側面ネジ
１７    側面板
２１    第２位置決め具
２２    端ブロック体
２３    ネジ
２４    周方向位置ずれ防止片
２４ａ  底片
２４ｂ  突片
２５    側面ネジ
２６    側面板
３１    位置決めキー
４１    位置決めキー
４１ａ  突出部
５０    タイバー
【図１】
2008298515.tif 000003
【図２】
2008298515.tif 000004
【図３】
2008298515.tif 000005
【図４】
2008298515.tif 000006
【図５】
2008298515.tif 000007
【図６】
2008298515.tif 000008
【図７】
2008298515.tif 000009
【図８】
2008298515.tif 000010
【図９】
2008298515.tif 000011
【図１０】
2008298515.tif 000012
【図１１】
2008298515.tif 000013
【図１２】
2008298515.tif 000014
【図１３】
2008298515.tif 000015
【図１４】
2008298515.tif 000016
【図１５】
2008298515.tif 000017
【図１６】
2008298515.tif 000018